(57)【特許請求の範囲】
【請求項１】
蓋体と前記蓋体を上部開口部に着脱自在に嵌着する容器本体とからなり、蓋体は、平面略方形状の天板の外周に周縁枠を設けてなり、
前記周縁枠は、天板から上方に向いた内側フランジと水平部と外側フランジとを順次連設してなると共に、前記外側フランジを水平部に連設する下向きの傾斜面と前記傾斜面に連設する垂直面によって形成し、前記周縁枠の四隅部に前記水平部と外側フランジを凹ませた段部を形成し、周縁枠の対向する外側フランジの傾斜面と垂直面にかけて固定用孔を形成してなり、容器本体の側壁は、入れ子式にネスティング可能なように上方外側に向かって傾斜しており、側壁の上部には、前記蓋体の周縁枠に嵌合する嵌合枠を形成してなり、前記嵌合枠は、側壁の上端部に外側に突出した水平部と外側フランジを順次連設してなると共に、前記嵌合枠の外側フランジは水平部に連設する下向きの傾斜面と前記傾斜面に連設する垂直面によって形成し、前記傾斜面には蓋体の固定用孔に嵌合される固定用突起を突設してなり、前記嵌合枠の四隅部には前記蓋体の段部が嵌合する上端凹部を形成し、容器本体の側壁の下端隅部を底板より下方に突設させて支柱部とし、前記支柱部の間の側壁は下端部を内側に凹ませて凹部壁としたことを特徴とするプラスチック製通い箱。
【請求項２】
蓋体の周縁枠を形成する水平部の下面には四隅部の段部の部分を含めて突条又は下向き溝を形成してなり、容器本体の嵌合枠を形成する水平部の上面には四隅部の上端凹部の部分を含めて前記突条又は下向き溝と嵌合する上向き溝又は突条が形成されていることを特徴とする請求項１記載のプラスチック製通い箱。
【請求項３】
蓋体と容器本体の外側フランジには、それぞれインシュロック用結束部を設けてなり、前記蓋体のインシュロック用結束部は、外側フランジにインシュロックのバンド部を挿入するスリットと、前記スリットの下方の外側フランジの外面を切り欠いた結束板とによって形成し、前記容器本体のインシュロック用結束部は、外側フランジにインシュロックのバンド部を挿入するスリットと、前記スリットの下方の外側フランジの内面を切り欠いた結束板とによって形成したことを特徴とする請求項１または２記載のプラスチック製通い箱。
【請求項４】
蓋体の天板と容器本体の底板及び凹部壁にそれぞれネット部を設けてなり、前記ネット部は蓋体の天板と容器本体の底板及び凹部壁に設けた嵌合孔と、前記嵌合孔に着脱自在に取り付けてなるネット板とからなることを特徴とする請求項１〜３のいずれか１項に記載のプラスチック製通い箱。
【請求項５】
突条又は溝は２本であることを特徴とする請求項１〜４のいずれか１項に記載のプラスチック製通い箱。
【発明の詳細な説明】
【０００１】
【発明の属する技術分野】
この発明は、蓋体と容器本体とからなるプラスチック製通い箱に係り、特に容器本体と蓋とが密閉状態を確実に保持し得るプラスチック製通い箱に関する。
【０００２】
【従来の技術】
マンゴー、パパイヤ等の果実を外国から輸入する際には、比較的安価であることからダンボール箱が使用されている。ダンボール箱はパレタイズされて港まで輸送される。マンゴー等の果実を輸送、保管するには、虫や昆虫の侵入を防止できると共に、海上輸送中、船倉内で冷却するために通気性が確保されなければならない。そこで、従来は、図２３に示すような構造のダンボール箱が使用されている。
【０００３】
ダンボール箱１は、側壁２に底部３と蓋部４を連設してなり、底部３と蓋部４とはそれぞれ各側壁から連設された４枚の底板３ａ〜３ｄと蓋板４ａ〜４ｄによって構成され、これらの底板３ａ〜３ｄと蓋板４ａ〜４ｄをそれぞれ折り重ねることによって形成されている。そして、前記底板３ａ〜３ｄと蓋板４ａ〜４ｄには、箱の内外の通気性を確保すると共に、虫、昆虫等の侵入を防止する防虫ネット３ｅ及び４ｅが設けられている。
【０００４】
前記底板３ａ〜３ｄを折り重ねたとき、重なり合う各底板の防虫ネットが一致し、蓋板４ａ〜４ｄを折り重ねたとき、重なり合う各蓋板の防虫ネットが一致し、底部３に４カ所、蓋部４に４カ所の防虫ネットが配設されることになる。底板３ａ〜３ｄの防虫ネット３ｅと蓋板４ａ〜４ｄの防虫ネット４ｅとは上下方向において一致するように構成されている。ダンボール箱１として組み立てたときの防虫ネットの面積、即ち、底部３と蓋部４の防虫ネットの面積は、ダンボール箱１全体の表面積に対して約３％を占めるように形成されている。
【０００５】
マンゴー等の果実を収納した上記構造のダンボール箱１は、海上輸送中、船倉に並列されるとともに上下に複数段に積み重ねられて保管される。そして、船倉内では、ダンボール箱１の下方から吹き上げられた空気が、ダンボール箱１の底部の防虫ネットから蓋部の防虫ネットを通って順次、上段のダンボール箱へと抜けることによって果実を所定温度まで冷却することができる。防虫ネットは、船倉内でダンボール箱内に空気を循環させるための通気孔となる。
【０００６】
従って、これらのダンボール箱１を積み重なると、図２４に示すように、垂直方向において底部３と蓋部４の防虫ネットは４カ所で一致し、上下方向に連通することになる。ダンボール箱１は完全に密閉されることなく、防虫ネットによって通気性が確保され、収納した果実の鮮度を保つことができる。前記防虫ネットのメッシュサイズは、防虫対策上、１．５ｍｍ以下の大きさに形成されており、ダンボール箱１は使い捨てのワンウエイである。
【０００７】
【発明が解決しようとする課題】
前記底部３及び蓋部４は、それぞれ底板３ａ〜３ｄと蓋板４ａ〜４ｄとを折り重ねると共に、接着することによって組み立てられるから、密閉性は保持される。しかしながら、上述のような従来のダンボール箱による輸送方法には次のような問題がある。即ち、ダンボールには吸湿性があるから、輸送中に耐圧強度が低下し下段のダンボール箱が潰れることがあり、特に海上輸送中のピッチング・ローリングによって一層潰れるおそれが大きくなる。
【０００８】
また、下段の箱と上段の箱との間に隙間を設けて積み重ねることができないから、通気性を確保するには、底部の防虫ネットと蓋部の防虫ネットとは重なり合うように形成されていなければならない。また、箱の強度を確保するためには、防虫ネットを側壁に設けることができない。そのために、空気は防虫ネットの部分を下から上に垂直に流れるだけで、箱全体を対流することはない。
【０００９】
また、ダンボール箱は、組み立て作業が繁雑であるとともに、再使用することができない使い捨てであるから、膨大な量のゴミとなって廃棄されることになり、そのゴミとしての処分の問題とともに、天然資源の浪費による地球環境の破壊につながり大きな社会問題となっている。また、ダンボール箱は、解体する場合に手間がかかるばかりでなく、怪我をするおそれがあり、積み替えの際には中がほとんど見えないために乱雑に取り扱われ、収納した果実を傷つける結果となっている。
【００１０】
この発明は、上記の現況に鑑みてなされたもので、果実等の収納物の品質を保持するとともに、取り扱いやすく、輸送効率および作業性に優れたプラスチック製通い箱を提供するものである。特に、容器本体と蓋体との密閉性に優れたプラスチック製通い箱を提供するものである。
【００１１】
【課題を解決するための手段】
この発明は上記目的を達成するために次のような構成とした。この発明に係るプラスチック製通い箱は、蓋体と前記蓋体を上部開口部に着脱自在に嵌着する容器本体とからなり、蓋体は、平面略方形状の天板の外周に周縁枠を設けてなり、前記周縁枠は、天板から上方に向いた内側フランジと水平部と外側フランジとを順次連設してなると共に、前記外側フランジを水平部に連設する下向きの傾斜面と前記傾斜面に連設する垂直面によって形成し、前記周縁枠の四隅部に前記水平部と外側フランジを凹ませた段部を形成し、周縁枠の対向する外側フランジの傾斜面と垂直面にかけて固定用孔を形成してなり、
容器本体の側壁は、入れ子式にネスティング可能なように上方外側に向かって傾斜しており、側壁の上部には、前記蓋体の周縁枠に嵌合する嵌合枠を形成してなり、前記嵌合枠は、側壁の上端部に外側に突出した水平部と外側フランジを順次連設してなると共に、前記嵌合枠の外側フランジは水平部に連設する下向きの傾斜面と前記傾斜面に連設する垂直面によって形成し、前記傾斜面には蓋体の固定用孔に嵌合される固定用突起を突設してなり、前記嵌合枠の四隅部には前記蓋体の段部が嵌合する上端凹部を形成し、容器本体の側壁の下端隅部を底板より下方に突設させて支柱部とし、前記支柱部の間の側壁は下端部を内側に凹ませて凹部壁としたことを特徴とする。
【００１２】
蓋体の周縁枠を形成する水平部の下面には四隅部の段部の部分を含めて突条又は下向き溝を形成してなり、容器本体の嵌合枠を形成する水平部の上面には四隅部の上端凹部の部分を含めて前記突条又は下向き溝と嵌合する上向き溝又は突条が形成されている構成とすることができる。また、蓋体と容器本体の外側フランジには、それぞれインシュロック用結束部を設けてなり、前記蓋体のインシュロック用結束部は、外側フランジにインシュロックのバンド部を挿入するスリットと、前記スリットの下方の外側フランジの外面を切り欠いた結束板とによって形成し、前記容器本体のインシュロック用結束部は、外側フランジにインシュロックのバンド部を挿入するスリットと、前記スリットの下方の外側フランジの内面を切り欠いた結束板とによって形成することができる。
【００１３】
さらに、蓋体の天板と容器本体の底板及び凹部壁にそれぞれネット部を設けてなり、前記ネット部は蓋体の天板と容器本体の底板及び凹部壁に設けた嵌合孔と、前記嵌合孔に着脱自在に取り付けてなるネット板とからなる構成とすることができる。前記突条又は溝は２本であることが好ましい。
【００１４】
【発明の実施の形態】
以下に、この発明に係るプラスチック製通い箱を図示する実施形態に基づいて説明する。プラスチック製通い箱１０は、蓋体１１と容器本体１２とからなり、平面略方形状に形成されている。プラスチック製通い箱１０は、蓋体１１を嵌合した状態では上段の容器本体１２を下段の蓋体１１の上に載せてスタッキングすることができる。このとき、下段の蓋体１１は上方の荷重によって拡開したり、破損することがなく、しかも密閉性を保持し得るように形成されている。また、蓋体１１は蓋体同士で、容器本体１２は容器本体同士でネスティングができるように形成されている。
【００１５】
まず、蓋体１１について説明する。蓋体１１は平面略方形状の天板１３の外周に周縁枠１５が設けられている。前記天板１３の長手方向には内側に開口する補強用溝１６が形成されており、補強用溝１６の両側には後述するネット部１８、１８が対称に配設されている。ネット部１８、１８は天板１３の中央部寄りに配設されている。
【００１６】
前記周縁枠１５は、図３及び図４に示すように、天板１３から上方に向いた内側フランジ１９と水平部２０と外側フランジ２１とからなる。従って、周縁枠１５は、内側フランジ１９と水平部２０と外側フランジ２１とによって、後述する容器本体１２の嵌合枠を嵌合する溝が形成されることになる。外側フランジ２１は、水平部２０に連設している傾斜面２１ａと、前記傾斜面２１ａに連続している垂直面２１ｂによって形成されている。このように、外側フランジを傾斜面と垂直面によって形成することにより嵌合枠との密閉性が向上する。
【００１７】
前記周縁枠１５の四隅部には、図１に示すように、水平部２０及び外側フランジ２１の上部を凹ませた段部２３が形成されている。前記段部２３は、容器本体の四隅の上端凹部に嵌合することによって蓋体１１を確実に嵌合して水平方向へのずれを防止するとともに、スタッキングした際に上方の荷重によって蓋体１１が拡開するのを防止する。さらに、前記水平部２０の内面には、突条２５、２５が全周に亘って連続して平行に設けられている。
【００１８】
従って、前記突条２５，２５は、段部２３の内面においても連続して設けられている。突条２５の数は、容器本体の上向き溝との関係で決定され、１以上であればよい。前記突条２５、２５は、蓋体１１が水平方向にずれた場合でも、容器本体１２との密閉性を確実に保持するように作用する。
【００１９】
周縁枠１５の外側フランジ２１には、固定用孔２７、２７が設けられている。
前記固定用孔２７、２７は、図示する実施形態では、長手方向にそれぞれ２つずつ設けられており、容器本体１２の固定用突起を嵌合させて蓋体１１が不用意に拡開するのを防止する。
【００２０】
さらに、蓋体１１の周縁枠１５には、インシュロック用結束部２８が設けられている。前記結束部２８は、図２及び図５に示すように、外側フランジ２１にインシュロックのバンド部を挿入するスリット２９を設けるとともに、スリット２９の下方を結束板３０とすることによって形成されている。結束板３０は、スリット２９の下方における外側フランジ２１の外面を、ほぼインシュロックのバンドの肉厚分だけ切り欠いて形成されている。このように、ほぼバンドの肉厚分だけ切り欠くことによって、インシュロックを取り付けたときに外面は外側フランジ２１とほぼ同一面となる。
【００２１】
図６〜図８は、ネット部１８の構成を示している。ネット部１８は、ネット板３１を天板１３に設けた嵌合孔３３に取り付けることによって形成されている。
ネット板３１には、中央部にネット３７が設け、周縁の枠部３９に係止部４０が設けられている。前記ネット３７は、枠部３９と一体に形成されており、メッシュの大きさは１．５ｍｍ以下とすることが好ましい。
【００２２】
前記係止部４０は、枠部３９の適所に透孔４０ａを設けると共に、枠部３９の片面に前記透孔４０ａの内面と同一面となる係止片用枠４０ｂをネット３７の外周に添って設け、さらに、前記係止片用枠４０ｂには前記透孔４０ａの範囲内で枠部３９に向かう外向きの係止片４０ｃを突設することによって形成されている。前記係止片４０ｃは、可撓性を有しバネ作用を奏する。
【００２３】
一方、ネット部１８を構成する嵌合孔３３は補強用溝１６の両側に並列するように設けられている。嵌合孔３３は、透孔３３ａの周縁の天板１３内面に前記ネット板３１を嵌合する段部３３ｂを設けると共に、透孔３３ａの周縁の天板１３外面に保護枠３３ｃを設けることによって形成されている（図６及び図８参照）。前記構成においてネット部１８は、ネット板３１を嵌合孔３３の内側から係止片用枠４０ｂを外側にして挿入すると、枠部３９が段部３３ｂに嵌合する。同時に、係止片用枠４０ｂは透孔３３ａから天板の外側に突出し、係止片４０ｃが保護枠３３ｃの内側の天板に係止することによって組み立てられる。
【００２４】
ネット板３１は、枠部３９が段部３３ｂに嵌合することによって天板の外側に抜け出ることはなく、また、係止片４０ｃが保護枠３３ｃ内の天板に係止することによって内側に抜け落ちることがない。また、係止片４０ｃは、外側面が保護枠３３ｃによって保護されているから、衝突によって係止状態が解除されることがない。さらに、ネット３７などネット板３１が破損した場合には、組み立てるときとは反対に、係止片４０ｃを係止片用枠４０ｂ側に押圧して透孔３３ａから取り外すか、係止片４０ｃを切り欠くことによって透孔３３ａから取り外すことによって、ネット板３１のみを交換することができる。
【００２５】
次に、容器本体１２の構成について説明する。容器本体１２は、平面方形状であって側壁が上方外側に向かって傾斜して上部開口面は底部より大きく形成されており、従って、相互に入れ子式にネスティングすることが可能である。容器本体１２は、側壁５０の下端隅部を底板５１より下方に突出させて支柱部５３としている。さらに、側壁５０の上部に蓋体１１の周縁枠１５に嵌合する嵌合枠５５を形成すると共に、側壁５０の下端から約１／２の高さで支柱部５３との間を内側に凹まさせて凹部壁５７としている。前記底板５１にネット部１８ａが形成され、凹部壁５７にネット部５９が形成されている。
【００２６】
凹部壁５７は、側壁５０よりも内側に凹んでいると共に、側壁５０よりも厚肉に形成されており、凹部壁５７の上面は傾斜面に形成されて側壁５０の内面に連続している（図２及び図１５参照）。支柱部５３の外面には、係止リブ６０が設けられている。前記係止リブ６０は、ネスティングしたときに下段容器の嵌合枠の上面に載置して嵌合量を規制する。支柱部５３の下端面が底板５１よりも突出していることによって底板５１は浮き上がった状態となり、スタッキングしたときにも底板５１の下面の通風が可能である。
【００２７】
前記嵌合枠５５は、図３，図４，図９及び図１０に示すように、側壁５０の上端部に設けた水平部６１と、前記水平部６１に下向きに設けた外側フランジ６３によって形成されている。外側フランジ６３は、水平部６１から連設している傾斜面６３ａと、前記傾斜面６３ａに連設している垂直面６３ｂによって形成されている。前記嵌合枠５５は、蓋体１１の周縁枠１５の内側に嵌合される。
【００２８】
上記嵌合枠５５の四隅部には、支柱部５３の上端部と共に切り欠いて上端凹部６５が形成されている。前記上端凹部６５は、蓋体１１の段部２３を嵌合させることによって、蓋体１１の水平方向へのずれを防止するとともに、スタッキングした際に上方からの荷重を受けたとき側壁が傾斜していることと相俟って蓋体１１が拡開するのを防止する。
【００２９】
さらに、前記水平部６１の上面には、上記突条２５，２５を嵌合させる上向き溝６７、６７が全周に亘って連続して平行に設けられている。前記上向き溝６７，６７は、上端凹部６５の側面にも設けられており、図示する実施形態では、上記突条２５，２５に合わせて２本の平行溝とされているが、１以上であればよくその数は容器本体の大きさ、収納物の重さ等によって適宜決定すればよい。前記上向き溝６７，６７に突条２５、２５が嵌合することによって、蓋体１１が水平方向にずれた場合でも、蓋体１１と容器本体１２との密閉性を確実に保持することができる。
【００３０】
尚、上記実施形態では、蓋体の周縁枠を形成する水平部に突条を設け、容器本体の嵌合枠を形成する水平部に前記突条を嵌合する上向き溝を形成したが、反対に、蓋体の水平部に下向き溝を形成し、容器本体の水平部に前記下向き溝に嵌合する突条を形成してもよい。
【００３１】
次に、蓋体１１を密閉するための容器本体の構造について説明する。嵌合枠５５の長手方向の外側フランジ６３には固定用突起８１、８１が設けられている。
前記固定用突起８１が蓋体の外側フランジ２１に設けられた固定用孔２７、２７に嵌合することによって蓋体１１の拡開を防止すると共に、密閉状態を保持する。蓋体１１を取り外すときは、図４に示すように、蓋体の外側フランジ２１の下端に指を掛けて外方に引きながら固定用突起８１との嵌合状態を解除すればよい。
【００３２】
図１２に示すように、嵌合枠５５の傾斜面６３ａには、蓋体１１のインシュロック用結束部２８と一体に作用するインシュロック用結束部８３が設けられている。前記結束部８３は、外側フランジ６３にインシュロックのバンド部を挿入するスリット８５を設けるとともに、スリット８５の下方を結束板８７とすることによって形成されている。結束板８７は、スリット８５の下方における外側フランジ６３の内面を、ほぼインシュロックのバンドの肉厚分だけ切り欠いて形成することが好ましい。このように、ほぼバンドの肉厚分だけ切り欠くことによって、インシュロックを取り付けたときに外側フランジ６３の内面とほぼ同一面とすることができる。
【００３３】
さらに、容器本体１２の外側フランジ６３には、封緘用シール貼着部８９が設けられている。封緘用シール貼着部８９は、図２及び図１３に示すように、外側フランジ６３の下端に延設すると共に、蓋体の外側フランジの肉厚分だけ外側に突出させることによって形成されている。封緘用シール貼着部８９の表面を突出させることによって、蓋体を取り付けたとき封緘用シール貼着部８９と蓋体の外側フランジ２１とがほぼ同一面となり、封緘用シールを貼着することができる。
【００３４】
尚、上記結束部２８と結束部８３、及び封緘用シール貼着部８９は一カ所に限らず複数箇所に設けてもよい。また、収納物の種類、通い箱の用途によっては、結束部とシール貼着部のいずれか一方、又は両方を適宜省略することは可能である。
【００３５】
次に、図５、図１２及び図１４に基づいて、インシュロック用結束板の使用方法について説明する。インシュロックのバンドの一例を図１５に示す。バンド９０はプラスチック製であって、バックル部９１に可撓性のバンド部９３を延設してなる。前記バックル部９１の内部にはバンド部の逆方向へのすべりを防止するつめ９１ａが設けられており、バンド部９３の片面には前記つめ９１ａに係止させるための溝（ギザギザ）９３ａが形成されていると共に、確実に締め付けられるようにリブ９３ｂが突設されている。
【００３６】
上記構成のバンド９０によって、結束部２８の結束板３０と結束部８３の結束板８７とを一体に結束するには、蓋体１１を容器本体に取り付けて結束板３０と結束板８７を一致させた後、バンド部９３をスリット２９、８５から差し込み、さらにバックル部９１に通して締め付ければよい。このとき、リブ９３ｂを結束板３０，８７の下端面に当接させれば緩みなく緊締することができる。
【００３７】
バンド部９３は、バックル部９１内では締め付ける方向にはスライドするが、逆に戻す方向にはつめ９１ａが溝９３ａに係止することによってスライドしないから、一度緊締すると切断しない限りバンド９０を取り外すことはできない。よって、輸送中や保管中に、第三者によって理由なく開けられるのを防止することができる。尚、収納物の種類、通い箱の用途によっては、テープ状の封緘用シールをインシュロックの代わり、又はインシュロックと併用して用いることができる。
【００３８】
次いで、ネット部５９を図９〜図１１に基づいて説明する。ネット部５９は、ネット板６９を凹部壁５７に設けた嵌合孔７０に取り付けることによって形成されている。ネット板６９は、凹部壁５７とほぼ同じ肉厚であって、中央部にネット７３を設け、ネット７３の周縁の枠部７５の側面及び下面に嵌合溝７７を設け、上部には係止部７９を設けてなる。前記ネット７３は、枠部７５と一体に形成されており、メッシュの大きさは１．５ｍｍ以下とすることが好ましい。また、容器の内部全体に空気の流れを生じさせるために、ネット部５９は、支柱部５３の近傍に配設することが好ましい。
【００３９】
前記嵌合溝７７は、枠部７５の両面に添って係止片７７ａ、７７ｂを互い違いに突設し、両者の間に間隔を設けることによって形成されている。即ち、係止片７７ａと係止片７７ｂとの間は枠部７５の厚さ方向において所定の間隔が設けられており、ネット板６９を断面したとき嵌合溝７７として表れる。
【００４０】
枠部７５の上部は凹部壁５７の上面と同じ傾斜面７５ａに形成されている。係止部７９は、透孔８０の下面から突設した係止片８０ａによって形成されている。係止片８０ａは、図９及び図１０に示すように、枠部７５の表面よりも突出しており、上向きに突設されている。
【００４１】
一方、前記ネット部５９を形成する嵌合孔７０は、凹部壁５７に設けられており、透孔７０ａの側面及び下面に前記ネット板６９の嵌合溝７７に嵌合するリブ７０ｂを設けることによって形成されている。前記リブ７０ｂは、容器本体の平面において側壁５０よりも内方に配設されており、従って、前記リブ７０ｂの上端と側壁５０との間には隙間７０ｃが形成されている。
【００４２】
ネット部５９を形成するには、前記隙間７０ｃにネット板６９の係止片７７ａを挿入すると共に、嵌合溝７７にリブ７０ｂを挿入し、そのまま下方にスライドさせればよい。係止片８０ａが側壁５０により押圧されながらスライドし、ネット板６９が透孔７０ａの下端に突き当たったときに、係止片８０ａはバネ作用により復帰して透孔７０ａの上面に係止し、嵌合溝７７にリブ７０ｂが嵌合してネット部５９が一体に組み立てられる。係止片７７ａ、７７ｂがリブ７０ｂを挟持し、係止片８０ａが透孔７０ａの上面に係止しているので、ネット板６９は嵌合孔７０から外れることがない。
【００４３】
また、ネット７３等が破損した場合には、係止片８０ａを外側から押圧して透孔７０ａの上面との係止状態を解除しながらネット板６９を上方にスライドさせれば、ネット板６９を取り外すことができ、新しいネット板６９と交換することができる。このように、ネット板６９は容器本体の内側に取り外すことができるものの、外側には取り外すことはできないから、蓋体１１を閉じた状態ではネット板６９を故意に取り外して、収納物を取り出したり損傷させたりすることはできない。
【００４４】
また、図２に示すように、容器本体１２の底板５１にもネット部１８ａが設けられる。ネット部１８ａは、蓋体のネット部１８と同一構成であり、天板１３を底板５１に読み替えることによって適用することができる。図１６は、ネット板取り付け前の容器本体１２の底面を示す斜視図であり、ネット板は底板５１の内面から取り付ければよい。従って、ネット部１８ａの説明は、重複を避けるために省略する。
【００４５】
次に、図１７〜図２１に基づいて、ネット部の他の実施形態について説明する。ネット部１００は、ネット板１０１を天板１３に設けた嵌合孔１０３に取り付けることによって形成されている。ネット板１０１には、中央部にネット３７ａを設け、周縁の枠部１０５に係止バネ１０７を突設してなる。枠部１０５を形成する短手方向の一方の枠部１０５ａの両端部は、長手方向の枠部の側面から突出した突出部１０５ｂとされていると共に、下面（図１７の下方）が長手方向の枠部の下面（図１７の下方）から突出した突出部１０５ｃとされている。
【００４６】
前記係止バネ１０７は、枠部１０５の長手方向の枠部に凹部１０９を設けると共に、前記凹部１０９内から連設し、フリーな先端を長手方向の枠部の側面から突出させることによって形成されている。係止バネ１０７は、先端が突出部１０５ａの方向に向いて開いており、可撓性を有しバネ作用を奏する、。前記ネット３７ａは、枠部１０５と一体に形成されており、メッシュの大きさは１．５ｍｍ以下とすることが好ましい。
【００４７】
一方、ネット部１００を構成する嵌合孔１０３は、天板１３に設けた透孔１１０に断面Ｌ字状固定枠１１１を天板の外側に突出するように設けることによって形成されている。前記固定枠１１１は、一方を開放するように平面略Ｕ字状に形成されており、長手方向の端部には透孔１１１ａを設け、前記透孔１１１ａの範囲内で天板１３の一部を透孔１１０の内方に係止片１１１ｂを突設してなる。
さらに、固定枠１１１の開放側端部の内側面には、前記係止バネ１０７を嵌合させて係止させる凹部１１１ｃを設けてなる。固定枠１１１の開放側端部がネット板１０１を挿入する挿入口となる。
【００４８】
前記構成においてネット部１００は、ネット板１０１を固定枠１１１の開放側端部から挿入しスライドさせていくと、ネット板１０１の枠部１０５が固定枠１１１と係止片１１１ｂの間に挿入され、枠部１０５ａの両端部の突出部１０５ｂと突出部１０５ｃが固定枠１１１の開放側端面に当接することによって組み立てられる。このとき、係止バネ１０７は、固定枠１１１の内面に当接してつぼめられながらスライドし、凹部１１１ｃ内に嵌合すると、係止バネ１０７の先端が開放されて凹部１１１の内面に係止する。このようにして、ネット板１０１を固定枠１１１内に挿入し、スライドさせるだけ組み立てられる。
【００４９】
ネット板１０１は、枠部１０５によって天板の外側に抜け出ることはなく、また、係止片１１１ｂ及び枠部１０５の突出部１０５ｂ、１０５ｃが係止することによって内側に抜け落ちることがない。また、ネット板１０１の係止バネ１０７は、枠部１０５の内側面に係止しており、外側からは操作することができないから、ネット板１０１を天板の外側から取り外すことはできない。一方、ネット３７ａなどネット板１０１が破損した場合には、天板の内側から係止バネ１０７と凹部１１１ｃとの係止状態を解除し、そのままスライドさせて固定枠１１１から取り出せばよい。
【００５０】
また、図２１は、容器本体１２の底板５１に設けたネット部１００ａを構成する嵌合孔１０３ａを示す。ネット部１００ａは、蓋体のネット部１００と同一構成であり、天板１３を底板５１に読み替えることによって適用することができる。図２１に図示する実施形態では、底板５１の下面に補強リブ１１３が縦横に設けられている点において異なるのみである。従って、ネット部１００ａの説明は、重複を避けるために省略する。
【００５１】
図２２は、スタッキング時の概略を示す正面図である。プラスチック製通い箱１０は、スタッキングしたときにも支柱部５３の下端部が底板５１から突出しており、底板５１が浮き上がった状態になっているから、底面からの通気性を確保することができる。また、底板と蓋体とのネット部は中央よりに設けられているから、鉛直方向の通気性がよくなると共に、煙突効果により外部との間に差圧が生じるために側壁に設けられたネット部から空気が取り入れられ、容器の内部全体に空気の流れが生じる。
【００５２】
【発明の効果】
以上説明したところから明らかなように、この発明に係るプラスチック製通い箱によれば、蓋体と容器本体とは、蓋体の周縁枠に容器本体の嵌合枠を嵌合させる構造としたから、密閉状態を保持することができる。しかも前記嵌合枠の水平部と周縁枠の水平部には、溝又は突条を互いに嵌合可能に設けたから、蓋体が水平方向にずれた場合にも、周縁枠と嵌合枠との間に隙間が生じることがない。
【００５３】
また、蓋体の四隅には段部を形成し、容器本体の前記嵌合枠の四隅には前記段部が嵌合する上端凹部を形成したから、蓋体の水平方向へのずれが確実に防止される。また、蓋体の周縁枠を形成する外側フランジに固定用孔を形成し、前記固定用孔に容器本体の嵌合枠を形成する外側フランジに突設した固定用突起を嵌合させるから、蓋体は密閉した状態で取り付けられる。
【００５４】
また、蓋体と容器本体の外側フランジには、インシュロックよう結束部を設けることにより、蓋体のずれを防止し密閉性を保持すると共に、蓋体が第三者によって故意に開けられるのを防止することができる。また、容器本体の外側フランジの下端部に封緘用シール貼着部を突設した場合には、封緘用シールの貼着によって蓋体が第三者によって故意に開けられるのを防止することができる。
【図面の簡単な説明】
【図１】この発明に係るプラスチック製通い箱の斜視図である。
【図２】蓋体を取り外した状態の容器本体の斜視図である。
【図３】蓋体の周縁枠と容器本体の嵌合枠の嵌合状態を示す拡大断面図である。
【図４】同じく、周縁枠を嵌合枠から取り外すときの方法を示す説明用断面斜視図である。
【図５】周縁枠における封緘部を示す断面斜視図である。
【図６】蓋体及び底板におけるネット部を示す組立前の説明用斜視図である。
【図７】ネット部を形成するネット板の断面図で、図７（Ａ）は図６Ａ―Ａ線断面図、図７（Ｂ）は図６Ｂ―Ｂ線断面図である。
【図８】ネット部における要部拡大断面図である。
【図９】嵌合枠における結束部を示す断面斜視図である。
【図１０】嵌合枠の封緘用シール貼着部を示す要部断面図である。
【図１１】インシュロック用結束部において、バンドにより結束板を緊締した状態を示す説明用断面図である。
【図１２】ネット部を構成するネット板の他の実施形態を示す斜視図である。
【図１３】ネット部を構成する嵌合孔の他の実施形態を示す内側から見た要部断面斜視図である。
【図１４】ネット部を構成する嵌合孔の外側から見た斜視図である。
【図１５】ネット部を嵌合孔に組み立てた状態のネット部の断面斜視図である。
【図１６】底板における嵌合孔の他の実施形態を示す要部斜視図である。
【図１７】バンドの一例を示す斜視図である。
【図１８】側壁におけるネット部の要部拡大断面図である。
【図１９】ネット板の斜視図である。
【図２０】側壁のネット部を形成する嵌合孔の要部拡大斜視図である。
【図２１】容器本体の底面を示す要部斜視図である。
【図２２】スタッキング時の概略を示す説明用正面図である。
【図２３】従来のダンボール箱の説明用斜視図である。
【図２４】従来のダンボール箱を積層したときの空気の流れを示す説明用正面図である。
【符号の説明】
１０：プラスチック製通い箱
１１：蓋体
１２：容器本体
１３：天板
１５：周縁枠
１６補強用溝
１８，１８ａ：ネット部
１９：内側フランジ
２０：水平部
２１：外側フランジ
２１ａ：傾斜面
２１ｂ：垂直面
２３：段部
２５：突条
２７：固定用孔
２８：結束部
２９：スリット
３０：結束板
３１：ネット板
３３：嵌合孔
３３ａ：透孔
３３ｂ：段部
３３ｃ：保護枠
３７：ネット
３９：枠部
４０：係止部
４０ａ：透孔
４０ｂ：係止片用枠
４０ｃ：係止片
５０：側壁
５１：底板
５３：支柱部
５５：嵌合枠
５７：凹部壁
５９：ネット部
６０：係止リブ
６１：水平部
６３：外側フランジ
６３ａ：傾斜面
６３ｂ：垂直面
６５：上端凹部
６７：溝
６９：ネット板
７０：嵌合孔
７３：ネット
７５：枠部
７７：嵌合溝
７７ａ、７７ｂ：係止片
７９：係止部
８０：透孔
８０ａ：係止片
８１：固定用突起
８３：結束部
８５：スリット
８７：結束板
８９：封緘用シール貼着部
９０：バンド
９１：バックル部
９３：バンド部
１００：ネット部
１０１：ネット板
１０３：嵌合孔
１０５：枠部
１０７：係止バネ
１０９：凹部
１１０：透孔
１１１：断面Ｌ字状固定枠
１１１ａ：透孔
１１１ｂ：係止片
１１３：補強リブ
【図１】
0004562262.tif 000002
【図２】
0004562262.tif 000003
【図３】
0004562262.tif 000004
【図４】
0004562262.tif 000005
【図５】
0004562262.tif 000006
【図６】
0004562262.tif 000007
【図７】
0004562262.tif 000008
【図８】
0004562262.tif 000009
【図９】
0004562262.tif 000010
【図１０】
0004562262.tif 000011
【図１１】
0004562262.tif 000012
【図１２】
0004562262.tif 000013
【図１３】
0004562262.tif 000014
【図１４】
0004562262.tif 000015
【図１５】
0004562262.tif 000016
【図１６】
0004562262.tif 000017
【図１７】
0004562262.tif 000018
【図１８】
0004562262.tif 000019
【図１９】
0004562262.tif 000020
【図２０】
0004562262.tif 000021
【図２１】
0004562262.tif 000022
【図２２】
0004562262.tif 000023
【図２３】
0004562262.tif 000024
【図２４】
0004562262.tif 000025